(57)【要約】【課題】ユーザが画像形成ジョブを実行する前に、過去に設定された画像形成ジョブでのトナー使用量に基づいて、これから実行する画像形成ジョブのトナー使用状況を把握することを可能とする。【解決手段】本発明に係る画像形成システムによれば、画像形成装置において画像形成ジョブの設定が行われてジョブが実行されると、当該画像形成ジョブにおける画像率及びトナー使用率が算出され、ジョブ設定情報、画像率及びトナー使用率を含むジョブ情報がサーバ２に送信され、ジョブ情報記憶手段に記憶される。画像形成装置において、操作手段により過去のジョブ情報の読み出しが指示されると、サーバに対してジョブ情報記憶手段に記憶されている過去の画像形成ジョブに対するジョブ情報の送信要求が行われ、サーバから送信されたジョブ情報が表示手段に表示される。【選択図】図５
2007019727.tif 000002
【特許請求の範囲】
【請求項１】
入力された画像データに基づいて、転写紙上に画像を形成し出力する画像形成装置において、
表示画面を表示する表示手段と、
画像形成ジョブにおける画像形成条件の設定を行うためのジョブ設定手段と、
前記ジョブ設定手段からの設定内容に基づいて当該画像形成ジョブで画像形成された画像の画像率を算出する画像率算出手段と、
前記画像率算出手段により算出された画像率に基づいて、前記画像形成ジョブにおけるトナー使用量を算出するトナー使用量算出手段と、
前記画像形成ジョブに対して設定されたジョブ設定情報、前記算出された画像率及び前記算出されたトナー使用量を含むジョブ情報を記憶するジョブ情報記憶手段と、
新たな画像形成ジョブに対する画像形成条件の設定時に、前記ジョブ情報記憶手段から過去の画像形成ジョブに対するジョブ情報を読み出して、前記過去の画像形成ジョブに対するジョブ設定情報、画像率及びトナー使用量を含むジョブ情報を前記表示手段に表示させる制御手段と、
を備えたことを特徴とする画像形成装置。
【請求項２】
前記ジョブ情報に任意の名称を設定する名称設定手段を備えたことを特徴とする請求項１に記載の画像形成装置。
【請求項３】
現在のトナー残量を検知するトナー残量検知手段と、
前記表示手段に表示された過去の画像形成ジョブに対するジョブ情報の中から今回の画像形成ジョブに適用するジョブ設定情報を含むジョブ情報を選択するための選択手段と、
前記選択手段により選択されたジョブ情報に含まれるトナー使用量と前記トナー残量検知手段により検知されたトナー残量とを比較し、前記トナー残量が少ない場合に、トナー残量不足である旨を警告する警告手段と、
を備えたことを特徴とする請求項１又は２に記載の画像形成装置。
【請求項４】
入力された画像データに基づいて、転写紙上に画像を形成し出力する画像形成装置とサーバとが通信ネットワークを介してデータ送受信可能に接続された画像形成システムにおいて、
前記画像形成装置は、表示画面を表示する表示手段と、画像形成ジョブにおける画像形成条件の設定を行うためのジョブ設定手段と、前記ジョブ設定手段からの設定内容に基づき当該画像形成ジョブで画像形成された画像の画像率を算出する画像率算出手段と、前記画像率算出手段により算出された画像率に基づいて、前記画像形成ジョブにおけるトナー使用量を算出するトナー使用量算出手段とを備え、前記画像形成ジョブに対して設定されたジョブ設定情報、前記算出された画像率及び前記算出されたトナー使用量を含むジョブ情報を前記通信ネットワークを介して前記サーバに送信し、
前記サーバは、ジョブ情報を記憶するジョブ情報記憶手段を備え、前記画像形成装置から前記通信ネットワークを介してジョブ情報が受信されると、この受信されたジョブ情報を前記ジョブ情報記憶手段に記憶し、
前記画像形成装置は、新たな画像形成ジョブに対する画像形成条件の設定時に、前記サーバに対して前記ジョブ情報記憶手段に記憶されている過去の画像形成ジョブに対するジョブ情報の送信要求を行い、前記サーバから送信された前記過去の画像形成ジョブに対するジョブ設定情報、画像率及びトナー使用量を含むジョブ情報を前記表示手段に表示させることを特徴とする画像形成システム。
【請求項５】
前記画像形成装置は、前記ジョブ情報に任意の名称を設定する名称設定手段を備えたことを特徴とする請求項４に記載の画像形成システム。
【請求項６】
前記画像形成装置は、現在のトナー残量を検知するトナー残量検知手段と、前記表示手段に表示された過去の画像形成ジョブに対するジョブ情報の中から今回の画像形成ジョブに適用するジョブ設定情報を含むジョブ情報を選択するための選択手段と、前記選択手段により選択されたジョブ情報に含まれるトナー使用量と前記トナー残量検知手段により検知されたトナー残量とを比較し、前記トナー残量が少ない場合に、トナー残量不足である旨を警告する警告手段と、を備えたことを特徴とする請求項４又は５に記載の画像形成システム。
【発明の詳細な説明】
【技術分野】
【０００１】
本発明は、入力された画像データに基づいて、転写紙上に画像を形成し出力する画像形成装置及び画像形成システムに関する。
【背景技術】
【０００２】
従来、電子写真プロセスを用いた画像形成装置において、ユーザ毎に使用したトナー消費量の累積結果を把握するための技術が提案されている（例えば、特許文献１参照）。また、各ユーザが過去に登録したジョブ設定をサーバから読み出し、同一のジョブ設定が可能な画像形成システムが提案されている（例えば、特許文献２参照）。
【特許文献１】特開平７−３２９４０４号公報
【特許文献２】特開２００３−３０３０６１号公報
【発明の開示】
【発明が解決しようとする課題】
【０００３】
しかしながら、特許文献１においては、各ユーザのトナー消費量の累積結果が把握可能なだけであり、画像形成ジョブを実行する前にユーザがトナー使用量の傾向を把握することはできないため、実行しようとする画像形成ジョブのトナーの使用量に応じてユーザがトナーの節約を図ることができなかった。また、特許文献２においては、過去に登録したジョブ設定と同一のジョブ設定を行っても、過去のトナー残量と現在のトナー残量とが異なっている可能性が高く、現在のトナー残量が十分でなく、画像形成ジョブ終了後にトナー不足で画像が薄くなっていることに気づくことがあった。
【０００４】
本発明の課題は、ユーザが画像形成ジョブを実行する前に、過去に設定された画像形成ジョブでのトナー使用量に基づいて、これから実行する画像形成ジョブのトナー使用状況を把握することを可能とすることである。
【課題を解決するための手段】
【０００５】
上記課題を解決するため、請求項１に記載の発明は、
入力された画像データに基づいて、転写紙上に画像を形成し出力する画像形成装置において、
表示画面を表示する表示手段と、
画像形成ジョブにおける画像形成条件の設定を行うためのジョブ設定手段と、
前記ジョブ設定手段からの設定内容に基づいて当該画像形成ジョブで画像形成された画像の画像率を算出する画像率算出手段と、
前記画像率算出手段により算出された画像率に基づいて、前記画像形成ジョブにおけるトナー使用量を算出するトナー使用量算出手段と、
前記画像形成ジョブに対して設定されたジョブ設定情報、前記算出された画像率及び前記算出されたトナー使用量を含むジョブ情報を記憶するジョブ情報記憶手段と、
新たな画像形成ジョブに対する画像形成条件の設定時に、前記ジョブ情報記憶手段から過去の画像形成ジョブに対するジョブ情報を読み出して、前記過去の画像形成ジョブに対するジョブ設定情報、画像率及びトナー使用量を含むジョブ情報を前記表示手段に表示させる制御手段と、
を備えたことを特徴としている。
【０００６】
請求項２に記載の発明は、請求項１に記載の発明において、
前記ジョブ情報に任意の名称を設定する名称設定手段を備えたことを特徴としている。
【０００７】
請求項３に記載の発明は、請求項１又は２に記載の発明において、
現在のトナー残量を検知するトナー残量検知手段と、
前記表示手段に表示された過去の画像形成ジョブに対するジョブ情報の中から今回の画像形成ジョブに適用するジョブ設定情報を含むジョブ情報を選択するための選択手段と、
前記選択手段により選択されたジョブ情報に含まれるトナー使用量と前記トナー残量検知手段により検知されたトナー残量とを比較し、前記トナー残量が少ない場合に、トナー残量不足である旨を警告する警告手段と、
を備えたことを特徴としている。
【０００８】
請求項４に記載の発明は、
入力された画像データに基づいて、転写紙上に画像を形成し出力する画像形成装置とサーバとが通信ネットワークを介してデータ送受信可能に接続された画像形成システムにおいて、
前記画像形成装置は、表示画面を表示する表示手段と、画像形成ジョブにおける画像形成条件の設定を行うためのジョブ設定手段と、前記ジョブ設定手段からの設定内容に基づき当該画像形成ジョブで画像形成された画像の画像率を算出する画像率算出手段と、前記画像率算出手段により算出された画像率に基づいて、前記画像形成ジョブにおけるトナー使用量を算出するトナー使用量算出手段とを備え、前記画像形成ジョブに対して設定されたジョブ設定情報、前記算出された画像率及び前記算出されたトナー使用量を含むジョブ情報を前記通信ネットワークを介して前記サーバに送信し、
前記サーバは、ジョブ情報を記憶するジョブ情報記憶手段を備え、前記画像形成装置から前記通信ネットワークを介してジョブ情報が受信されると、この受信されたジョブ情報を前記ジョブ情報記憶手段に記憶し、
前記画像形成装置は、新たな画像形成ジョブに対する画像形成条件の設定時に、前記サーバに対して前記ジョブ情報記憶手段に記憶されている過去の画像形成ジョブに対するジョブ情報の送信要求を行い、前記サーバから送信された前記過去の画像形成ジョブに対するジョブ設定情報、画像率及びトナー使用量を含むジョブ情報を前記表示手段に表示させることを特徴としている。
【０００９】
請求項５に記載の発明は、請求項４に記載の発明において、
前記画像形成装置は、前記ジョブ情報に任意の名称を設定する名称設定手段を備えたことを特徴としている。
【００１０】
請求項６に記載の発明は、請求項４又は５に記載の発明において、
前記画像形成装置は、現在のトナー残量を検知するトナー残量検知手段と、前記表示手段に表示された過去の画像形成ジョブに対するジョブ情報の中から今回の画像形成ジョブに適用するジョブ設定情報を含むジョブ情報を選択するための選択手段と、前記選択手段により選択されたジョブ情報に含まれるトナー使用量と前記トナー残量検知手段により検知されたトナー残量とを比較し、前記トナー残量が少ない場合に、トナー残量不足である旨を警告する警告手段と、を備えたことを特徴としている。
【発明の効果】
【００１１】
請求項１、４に記載の発明によれば、ユーザが画像形成ジョブを実行する前の新たな画像処理条件の設定時に、過去に設定された画像形成ジョブでのトナー使用量に基づいて、これから実行する画像形成ジョブのトナー使用状況を把握することが可能となる。
【００１２】
請求項２、５に記載の発明によれば、ジョブ情報に対してユーザが任意の名称を設定することが可能となる。
【００１３】
請求項３、６に記載の発明によれば、選択されたジョブ情報の内容で画像形成ジョブを実行した場合にトナー不足が発生するか否かをユーザが事前に予測することができるので、画像形成ジョブを実行した後でトナー不足により所望の仕上がりとならなかったことに気づくといったことがなくなる。
【発明を実施するための最良の形態】
【００１４】
以下、図を参照して、本発明の実施の形態を詳細に説明する。
まず、構成を説明する。
【００１５】
図１に、本発明に係る画像形成システム１００の全体構成を示す。図１に示すように、画像形成システム１００は、画像形成装置１とサーバ２とがＬＡＮ（Local Area Network）やＷＡＮ（Wide Area Network）、インターネット等の通信ネットワークＮＴを介してデータ送受信可能に接続されて構成されている。画像形成装置１の台数は、特に限定されない。
【００１６】
画像形成装置１としては、複写機、プリンタ、ＦＡＸ、複合機等を適用可能である。本実施の形態においては、電子写真プロセスを用いた複合機を適用した場合を例にとり説明する。
【００１７】
図２に、画像形成装置１の機能構成例を示す。また、図３に、画像形成装置１内部の概略構成例を示す。図２に示すように、画像形成装置１は、スキャナ手段１０１、プリント手段１０２、操作手段１０３、表示手段１０４、通信手段１０５、ＣＰＵ１０６、記憶手段１０７、ＲＡＭ１０８、ＰＷＭ信号レベルカウント手段１０９、画像率算出手段１１０、トナー使用率算出手段１１１、トナー残量算出手段１１２等を備えて構成され、各部はバス１１３を介して接続されている。
【００１８】
スキャナ手段１０１は、図３に示す原稿自動給紙手段ａ、原稿台ｂ、原稿読取手段ｃ等により構成される。原稿自動給紙手段ａは、原稿トレイｔに載置された原稿をプラテンガラス等により構成される原稿台ｂ上に１枚ずつ自動給送する。原稿読取手段ｃは、ＣＣＤ（Charge Coupled Device）と、光源と、Ａ／Ｄ変換器とを備え、光源から原稿へ照明走査した光の反射光をＣＣＤにより結像して光電変換することにより原稿の画像を読み取り、読み取ったアナログ画像信号をＡ／Ｄ変換してプリント手段１０２に出力する。
【００１９】
プリント手段１０２は、図３に示す書込み手段ｄ、用紙給紙手段ｅ、クリーニング手段ｆ、帯電手段ｇ、現像手段ｈ、感光体ドラムｉ、転写手段ｊ、定着手段ｋ、排紙手段ｌ等を備えて構成され、原稿読取手段ｃから入力される画像データに基づいて、電子写真方式により転写紙上に画像を形成して出力する。
プリント手段１０２においては、原稿読取手段ｃから画像データが入力されると、書込み手段ｄにおいて、入力された画像データを画像処理し、画像処理された画像データに基づきＰＷＭ(Pulse Width Modulation)信号を生成し、入力されたＰＷＭ信号に基づいて、帯電手段ｇにより帯電された感光体ドラムｉ表面にレーザ光を照射することにより静電潜像を書き込む。感光体ドラムｉ表面に静電潜像が書き込まれると、現像手段ｈにおいて、感光体ドラムｉの静電潜像を含む領域にトナーを付着させ、用紙給紙手段ｅから搬送された転写紙に対し、転写手段ｊにおいてトナーを転写して画像を形成する。画像が形成された転写紙は、定着手段ｋに搬送され、定着手段ｋにおいて転写紙上のトナー像を定着させた後、排紙手段ｌから排紙する。感光体ドラムｉ上の転写されなかったトナーは、クリーニング手段ｆにより除去する。
【００２０】
操作手段１０３は、画像形成装置１に対する各種設定や動作指示等を入力するためのテンキー、コピースタートボタンを始めとする各種操作ボタン、表示手段１０４の表示画面上に構成されるタッチパネル等を備え、押下されたボタンの操作信号や表示画面上の位置信号をＣＰＵ１０６に出力する。
本実施の形態において、操作手段１０３は、図４に示すように、個人認証情報入力手段ｍ、モード選択ボタンｎ、頻度ボタンｏ、履歴ボタンｐ、ジョブ設定ボタンｑ及び名称設定ボタンｒを備えている。
個人認証情報入力手段ｍは、ユーザの認証情報を入力するものである。本実施の形態においては、個人認証情報入力手段ｍは、指紋情報を入力するための指紋センサであることとするが、これに限定されず、指紋以外の生体情報、例えば、虹彩等の情報を入力する生体情報入力手段を用いてもよい。また、個人認証情報入力手段ｍは、ユーザＩＤ及びパスワードを入力するものとしてもよいし、ＩＣカード（例えば、ユーザの個人情報等が記録されたＩＣカード）の情報を読み取るＩＣカード読取装置としてもよい。
モード選択ボタンｎは、サーバ２に記憶されているユーザ毎に記憶されているジョブ情報（詳細後述）を読み出すモードを設定するためのボタンである。
頻度ボタンｏは、サーバ２に記憶されているジョブ情報を表示する際の並び順を頻度順に設定するためのボタンである。
履歴ボタンｐは、サーバ２に記憶されているジョブ情報を表示する際の並び順を履歴順に設定するためのボタンである。
ジョブ設定ボタンｑは、表示手段１０４に表示されたジョブ情報から所望のジョブ情報を選択し設定するためのボタンである。
名称設定ボタンｒは、ジョブ情報に任意の名称を設定することを指示するためのボタンである。
【００２１】
また、操作手段１０３は、表示手段１０４の表示画面上を覆う透明タッチパネルを有し、表示画面上に表示された操作キーに対応する透明タッチパネルの押下位置の座標情報を検出することにより操作指示の入力を検出する。このタッチパネルにより、実行するジョブにおける転写紙サイズ、出力部数、片面／両面印刷、倍率、濃度、ステープル等の画像処理条件（後処理条件を含む）の設定（ジョブ設定）、ジョブ情報に設定する名称等を入力することができる。
即ち、操作手段１０３は、ジョブ設定手段、名称設定手段、選択手段として機能する。
【００２２】
ここで、ジョブ（画像形成ジョブ）とは、画像形成に関する一連の動作を指し、例えば、複数枚の原稿をコピーする場合には、複数枚のコピーに関する一連の動作が１ジョブであり、複数部数のコピーを行う場合は、複数部数分のコピーに関する一連の動作が１ジョブである。ジョブ情報とは、実行された各ジョブに関する情報であり、ジョブ実行時に操作手段１０３を介して設定されたジョブ設定情報、画像率算出手段１１０により算出された画像率の情報、トナー使用率算出手段１１１により算出されたトナー使用率の情報が含まれる。ジョブ設定情報とは、転写紙サイズ、出力部数、片面／両面印刷、倍率、濃度、ステープル等、各ジョブに対して設定された画像形成条件（後処理条件を含む）の情報である。画像率は、転写紙に対して形成された画像の割合を示すものであり、転写紙の全面の画素に黒（最高の濃度）の画像が形成された場合、画像率が１００％となる。トナー使用率は、画像形成装置１にトナーが１００％補充された状態のトナー量（画像形成装置１に装填される１トナーボトル当たりのトナー量）に対して、使用したトナー量の割合を示すものである。
【００２３】
表示手段１０４は、ＬＣＤ（Liquid Crystal Display）等により構成され、ＣＰＵ１０６から入力される表示信号の指示に従って、表示画面上に各種設定画面の表示や画像形成装置１の状態表示等を行う。
【００２４】
通信手段１０５は、ＬＡＮアダプタやルータ等によって構成され、通信ネットワークＮＴに接続されたサーバ２を始めとする各装置とのデータ送受信を行う。
【００２５】
ＣＰＵ（Central Processing Unit）１０６は、操作手段１０３の操作により、記憶手段１０７に記憶されているシステムプログラムやジョブ制御処理プログラムを始めとする各種処理プログラムを読み出してＲＡＭに展開し、展開されたプログラムに従って、画像形成装置１各部の動作を集中制御する。
【００２６】
記憶手段１０７は、不揮発性の半導体メモリ等により構成され、画像形成装置１に対応するシステムプログラム及び該システムプログラム上で実行可能なジョブ制御プログラムをはじめとする各種処理プログラム等を記憶する。プログラムは、コンピュータが読み取り可能なプログラムコードの形態で格納され、ＣＰＵ１０６は、当該プログラムコードに従った動作を逐次実行する。
また、記憶手段１０７は、画像形成装置１の各ユーザを一意に識別するためのユーザＩＤと指紋情報とを対応付けて記憶するユーザ認証情報ファイルを記憶している。
【００２７】
ＲＡＭ１０８は、ＣＰＵ１０６により実行制御される各種処理において、記憶手段１０７から読み出されたプログラム、入力、若しくは出力データ及びパラメータ等の一時的な格納領域となる。
【００２８】
ＰＷＭ信号レベルカウント手段１０９は、画像形成に使用するＰＷＭ信号のＨレベル信号をカウントする。ここで、ＰＷＭ信号がＬレベルのとき、書込み手段ｄのレーザが点灯し、画像形成されず、ＰＷＭ信号がＨレベルのとき、書込み手段ｄのレーザが点灯せず、画像形成されるとすると、転写紙１ページに画像が形成される割合、即ち１ページ当たりの画像率は、１ページ分の画像形成時のＰＷＭ信号のＨレベルをカウントし、このカウント数を１ページ分のＰＷＭ信号の総カウント数で除算することにより求めることができる。例えば、１画素当たり６４階調で画像形成する場合、１画素当たりのＰＷＭ信号のＨレベルが６４段階の幅を持つことになる。この１画素当たりのＰＷＭ信号のＨレベルの幅を高周波のクロックでサンプリングしてカウントし、これを１ページ分の全画素について加算していくことにより、１ページ当たりのＰＷＭ信号Hレベルカウント数が求められる。ＰＷＭ信号レベルカウント手段１０９は、ジョブ実行時、各ページ毎にＰＷＭ信号のＨレベルをカウントし、画像率算出手段１１０に出力する。
【００２９】
画像率算出手段１１０は、ＰＷＭ信号レベルカウント手段１０９から入力される各ページのＰＷＭ信号のＨレベルのカウント数に基づいて、実行されたジョブで転写紙上に形成された各ページの画像率及び実行されているジョブ全体（ジョブ全ページ分）の画像率を算出する。
具体的には、画像率算出手段１１０は、各転写紙サイズ毎に１ページ当たりのＰＷＭ信号の総カウント数を保持している。例えば、Ａ４サイズで総画素数が7000画素×4900ライン＝34300000画素の場合、ＰＷＭ信号は、１画素あたり６４の段階を持つので、Ａ４１ページ当たりのＰＷＭ信号総カウント数は34300000画素×64＝2195200000となる。画像率算出手段１１０は、入力された各ページのＰＷＭ信号のＨレベル信号のカウント数と、予め保持されている使用した転写紙サイズのＰＷＭ信号総カウント数により、下記の式により各ページの画像率、ジョブ全体の画像率を求める。
〔各ページの画像率〕
（該当ページにおけるＰＷＭ信号のＨレベルカウント数）／（使用した転写紙サイズにおける１ページ当たりのＰＷＭ信号の総カウント数）×１００
〔ジョブ全体の画像率〕
（各ページにおけるＰＷＭ信号のＨレベルカウント数の総和）／（使用した転写紙サイズにおける１ページ当たりのＰＷＭ信号の総カウント数×ページ数）×１００
【００３０】
トナー使用率算出手段１１１は、画像率算出手段１１０により算出されたジョブ実行時の各ページの画像率に基づいて、ジョブ全体でのトナー使用率を算出する。
具体的には、トナー使用率算出手段１１１は、転写紙サイズ毎の１ページ当たりのトナー使用係数αを保持している。このトナー使用係数αは、画像率１００％の画像を１枚形成したときのトナー使用率である。トナー使用率算出手段１１１は、
Ｎ＝トナー係数α×1ページ分の画像率
として各ページに対してＮを算出し、各ページに対するＮの総和を求めることにより、ジョブ全体のトナー使用率を算出する。
【００３１】
上述のトナー使用率算出手段１１１は、トナー使用量算出手段に相当するものである。本実施の形態においては、トナー使用量をユーザが把握しやすくするため、トナー使用量をトナー使用率として算出し、表示手段１０４にトナー使用量を表示する際にもトナー使用率として表示することとするが、トナー使用量そのものを算出して表示するようにしてもよい。
【００３２】
トナー残量検知手段１１２は、トナーボトルが新しいものに交換されてから、即ち、画像形成装置１に１００％トナーが補充されてからのトナー使用率を累積し、１から累積されているトナー使用率を減算することによりトナー残量を検知する。本実施の形態においては、トナー残量を、画像形成装置１に１００％トナーが補充されている状態に対するトナー残量の割合（トナー残量率）として検知するものとする。
【００３３】
画像率算出手段１１０、トナー使用率算出手段１１１、トナー残量検知手段１１２は、ＣＰＵ１０６と記憶手段１０７に記憶されているプログラムとの協働によるソフトウエア処理により実現することとしてもよいし、専用のハードウエアにより実現することとしてもよい。
【００３４】
サーバ２は、通信ネットワークＮＴを介して画像形成装置１とデータ送受信を行うための通信手段と、ＨＤＤ（Hard Disk）等により構成されるジョブ情報記憶手段を備えたＰＣ（Personal Computer）であり、画像形成装置１から送信されたジョブ情報をユーザＩＤに対応付けてジョブ情報記憶手段に記憶する。また、画像形成装置１からユーザＩＤ及びジョブ情報送信要求が送信されると、送信されたユーザＩＤに対応するジョブ情報をジョブ情報記憶手段から読み出し、指定された並び順に並びかえて送信要求を行った画像形成装置１に送信する。
【００３５】
次に、動作について説明する。
図５に、ＣＰＵ１０６において実行されるジョブ制御処理を示す。当該処理は、ＣＰＵ１０６と記憶手段１０７に記憶されたジョブ制御処理プログラムとの協働によるソフトウエア処理により実現される処理であり、当該処理の実行により制御手段が実現される。以下、図５を参照して、ジョブ制御処理について説明する。
【００３６】
まず、ユーザ認証情報入力手段ｍから指紋情報が入力されると、ユーザ認証処理が実行され、入力された指紋情報と記憶手段１０７に記憶されたユーザ認証情報ファイルの各指紋情報とが照合され、入力された指紋情報と一致した指紋情報に対応するユーザＩＤが読み出され、ＲＡＭ１０８に格納される（ステップＳ１）。なお、個人認証情報ファイルに入力された指紋情報と一致する指紋情報がない場合には、表示手段１０４にエラーメッセージが表示される。
【００３７】
ユーザ認証後、モード選択ボタンｎが押下され、サーバ２に記憶されているジョブ情報の読み出しが指示されると（ステップＳ２；ＹＥＳ）、頻度ボタンｏ又は履歴ボタンｐの受け付け画面が表示され、頻度ボタンｏ又は履歴ボタンｐが押下されてジョブ情報の並び順が設定されると（ステップＳ３）、通信手段１０５を介してサーバ２と通信が行われて認証されたユーザに対応するジョブ情報が取得される（ステップＳ４）。具体的には、画像形成装置１からサーバ２に対し、ＲＡＭ１０８に記憶されているユーザＩＤ、並び順とともにジョブ情報送信要求が送信される。サーバ２においては、ジョブ情報送信要求が受信されると、ジョブ情報記憶手段から指定されたユーザＩＤの過去のジョブ情報が検索され、検索されたジョブ情報が指定された並び順で並び替えられ、ジョブ情報送信要求を行った画像形成装置１に送信される。
【００３８】
認証されたユーザ、即ち現在操作を行っているユーザの過去のジョブ情報がサーバ２から取得されると、取得されたジョブ情報が表示画面上に表示される（ステップＳ５）。
【００３９】
図６に、ステップＳ５において表示手段１０４の表示画面上に表示されるジョブ情報表示画面の一例を示す。図６においては、ステップＳ３で履歴順が設定された場合に表示されるジョブ情報表示画面を示している。履歴順では、最近使用したジョブ情報から順に表示される。図６に示すように、ジョブ情報表示画面では、過去に行ったジョブごとに、当該ジョブを行った「日付」、当該ジョブ設定に対して登録された「名称」、当該ジョブの「設定内容（ジョブ設定情報）」、当該ジョブを実行したときの「画像率」、当該ジョブを実行したときの「トナー使用率」が対応付けて表示される。
【００４０】
「名称」は、ジョブを設定した際、そのジョブ情報に対しユーザが設定した名称であり、原稿の内容を表す名称を設定しておくことにより、表示されたジョブ情報がどのような原稿に対して行ったジョブの設定内容、画像率、トナー使用率であるのかをユーザが判別可能となる。ジョブの設定内容が同じで原稿が異なる場合、画像率やトナー使用率が変わってくるので便利である。例えば、週報をコピーする際のジョブ情報に、履歴ＮＯ．２で示すように「週報」という名称を設定しておけば、週報を画像形成した際のジョブの設定内容、画像率、トナー使用率をユーザが容易に把握することが可能となる。また、背景が黒の原稿をコピーした場合に、履歴ＮＯ．３で示すように「背景黒」という名称を設定しておけば、画像率、トナー使用率が高かった理由をユーザが判別可能となる。
「画像率」は、上述したように、転写紙に対して形成された画像の割合を示すものであり、転写紙の全面の画素に黒（最高の濃度）の画像が形成された場合、画像率が１００％となる。
「トナー使用率」は、上述したように、１００％補充された状態のトナー量に対して、使用したトナー量の割合を示すものである。
【００４１】
このように、各ユーザが過去に設定登録したジョブ毎に画像率やトナー使用率の実績を表示することにより、ユーザがジョブを実行する前に、今回設定しようとするジョブ設定でどのくらいのトナーが使用されるかを把握することが可能となる。これにより、例えば、トナー使用率が高ければ、ユーザは、濃度設定を変えてトナー使用量を抑える等のトナーの節約を行うことが可能となる。
【００４２】
ジョブ情報表示画面からユーザにより所望のジョブ設定が含まれるジョブ情報が選択操作され、選択手段としてのジョブ設定ボタンｐが押下されることにより、今回のジョブに適用するジョブ設定内容を含むジョブ情報が選択されると（ステップＳ６）、トナー残量検知手段１１１から現在のトナー残量率が取得され、選択されたジョブ情報のトナー使用率と現在のトナー残量率との比較が行われる（ステップＳ７）。比較の結果、トナー残量率が低い場合には（ステップＳ８；ＹＥＳ）、表示手段１０４にトナー残量不足が予想される旨が警告表示される（ステップＳ９；警告手段）。この警告表示は、例えば、ジョブ情報表示画面にトナー残量不足が予想される旨をポップアップ表示してもよいし、ジョブ情報表示画面上のトナー使用率の欄を点滅表示させる等により行うようにしてもよい。また、ＬＥＤ（Light Emitting Diode）を点滅させる、警告ブザーを出力する等によりトナー不足をユーザに警告するようにしてもよい。トナー不足の警告方法をユーザが設定できるようにすると好ましい。
【００４３】
ジョブ情報の選択後、当該ジョブ情報のジョブ設定内容からの設定変更が受け付けられる（ステップＳ１０）。例えば、ジョブ情報表示画面上の設定内容を変更したい項目内容が押下されると、その項目に対する設定画面がポップアップ表示され、新たな内容を設定することができる。
【００４４】
一方、ステップＳ２において、モード選択ボタンｎが押下されなかった場合（ステップＳ２；ＮＯ）、表示手段１０４にジョブ設定用の画面が表示され、転写紙サイズ、出力部数、両面／片面印刷、濃度等のジョブ設定が行われる（ステップＳ１１）。
【００４５】
ジョブの設定が完了し、名称登録ボタンｒが押下されると（ステップＳ１２；ＹＥＳ）、表示手段１０４に名称設定画面が表示され、当該画面から入力された名称がジョブの名称として設定登録される（ステップＳ１３）。そして、スタートボタンの押下に応じて、ジョブが開始され、スキャナ手段１０１において原稿の画像が読み取られ、プリンタ手段１０２においてステップＳ４〜Ｓ１１で設定されたジョブ設定内容で画像形成が実施される（ステップＳ１４）。また、ＰＷＭ信号レベルカウント手段１０９が動作し、ＰＷＭ信号のレベルがカウントされる（ステップＳ１５）。
【００４６】
画像形成が終了すると、ＰＷＭ信号レベルカウント手段１０９からのカウント数に基づいて、実行されたジョブに対する画像率及びトナー使用率が算出される（ステップＳ１６）。そして、通信手段１０５により、ユーザＩＤ、ジョブ実行日付、名称、ジョブの設定内容、画像率及びトナー使用率のジョブ情報がサーバ２に送信され（ステップＳ１７）、本処理は終了する。
【００４７】
サーバ２においては、ジョブ情報が受信されると、ジョブ情報記憶手段に当該ジョブ情報が記憶される。
【００４８】
以上説明したように、画像形成システム１００によれば、画像形成装置１において、操作手段１０３を介してジョブの設定が行われてジョブが実行されると、当該画像形成ジョブにおける画像率及びトナー使用率が算出され、ジョブ設定情報、画像率及びトナー使用率を含むジョブ情報がサーバ２に送信され、ジョブ情報記憶手段に記憶される。画像形成装置１において、操作手段１０３により過去のジョブ情報の読み出しが指示されると、サーバ２に対してジョブ情報記憶手段に記憶されている過去の画像形成ジョブに対するジョブ情報の送信要求が行われ、サーバから過去のジョブ情報が受信されると、受信されたジョブ情報を含むジョブ情報表示画面が表示手段１０４に表示される。当該ジョブ情報表示画面から一のジョブ情報が選択され、設定が指示されると、選択されたジョブ情報に含まれるジョブ設定情報が今回のジョブに対して設定される。そして、今回のジョブにおける画像率及びトナー使用率が算出され、ジョブ設定情報、画像率及びトナー使用率を含むジョブ情報がサーバ２に送信され、ジョブ情報記憶手段に記憶される。
【００４９】
従って、ユーザがジョブを実行する前に、ユーザがジョブを実行する前の新たな画像処理条件の設定時に、過去に設定されたジョブでのトナー使用量に基づいて、これから設定し実行するジョブのトナー使用状況を把握することが可能となる。これにより、例えば、トナー使用率が高ければ、ユーザは、濃度設定を変えてトナー使用量を抑える等のトナーの節約を行うことが可能となる。
【００５０】
また、画像形成装置１は、ジョブ情報に対してユーザが任意の名称を設定することが可能であるので、過去に同一のジョブ設定内容、即ちジョブ設定情報があっても、原稿毎に名称をつけてジョブ情報を設定登録することが可能となる。また、ジョブ情報に対し原稿の内容を示す名称を設定しておけば、ユーザが次に同様の原稿をコピーする際のジョブ情報の選択が容易となる。
【００５１】
また、画像形成装置１は、ジョブ情報表示画面からジョブ情報が選択されると、選択されたジョブ情報に含まれるトナー使用率と現在のトナー残量率とを比較し、トナー残量率が少ない場合にトナー不足の警告表示を行うので、ユーザはトナー不足を予測することが可能となり、ジョブを実行した後でトナー不足により所望の仕上がりとならなかったことに気づくといったことがなくなる。
【００５２】
なお、上記実施の形態における記述内容は、本発明に係る画像形成システム１００の好適な一例であり、これに限定されるものではない。
【００５３】
例えば、上記実施の形態においては、ジョブ情報記憶手段をサーバ２に備えることとしたが、画像形成装置１に大容量のＨＤＤ等の記憶装置を備える構成とし、この大容量記憶装置をジョブ情報記憶手段とするようにしてもよい。
【００５４】
また、上記実施の形態においては、ユーザがトナーの使用量を感覚的に把握しやすいようにトナー使用率を求めて表示することとしたが、トナー使用量そのものを表示するようにしてもよい。
【００５５】
また、ジョブ情報記憶手段には、各ジョブ設定情報に対応付けて画像率のみを記憶しておき、トナー使用量の算出は、ジョブ情報記憶手段から読み出された画像率に基づいて算出するようにしてもよい。また、画像率やトナー使用率の算出をサーバ側で行うようにしてもよい。
【００５６】
また、上記実施の形態においては、１画素の濃度を多値で表現する場合を例にとり説明したが、１画素を２値（白又は黒）で表現する場合についても、本発明を適用することができる。１画素を２値で表現する画像形成装置の場合、例えば、ジョブ全体における画像形成画素数をカウントし、
（ジョブ全体における画像形成画素数）／（使用した転写紙サイズにおける１ページ当たりの画素数の総カウント数×ページ数）×１００
を算出することにより、画像率を求めることができる。また、トナー使用率は、画像形成装置１に装填するトナーボトル１本で画像形成可能な画素数を固定値として保持しておき、
（ジョブ全体における画像形成画素数）／（トナーボトル１本で画像形成可能な画素数）×１００
を算出することにより求めることができる。
【００５７】
その他、画像形成システム１００を構成する各装置の細部構成及び細部動作に関しても、本発明の趣旨を逸脱することのない範囲で適宜変更可能である。
【図面の簡単な説明】
【００５８】
【図１】本発明に係る画像形成システム１００の全体構成を示す図である。
【図２】画像形成装置１の機能的構成を示すブロック図である。
【図３】画像形成装置１内部の概略構成を示す図である。
【図４】操作手段１０３の概略構成を示す図である。
【図５】ＣＰＵ１０６により実行されるジョブ制御処理を示すフローチャートである。
【図６】ジョブ情報表示画面の一例を示す図である。
【符号の説明】
【００５９】
１００  画像形成システム
１  画像形成装置
１０１  スキャナ手段
ａ  原稿自動給紙手段
ｂ  原稿台
ｃ  原稿読取手段
１０２  プリント手段
ｄ  書込み手段
ｅ  用紙給紙手段
ｆ  クリーニング手段
ｇ  帯電手段
ｈ  現像手段
ｉ  感光体ドラム
ｊ  転写手段
ｋ  定着手段
ｌ  排紙手段  
１０３  操作手段
ｍ  個人認証情報入力手段
ｎ  モード選択ボタン
ｏ  頻度ボタン
ｐ  履歴ボタン
ｑ  ジョブ設定ボタン
ｒ  名称設定ボタン
１０４  表示手段
１０５  通信手段
１０６  ＣＰＵ
１０７  記憶手段
１０８  ＲＡＭ
１０９  ＰＷＭ信号レベルカウント手段
１１０  画像率算出手段
１１１  トナー使用率算出手段
１１２  トナー残量検知手段
２  サーバ
ＮＴ  ネットワーク
【図１】
2007019727.tif 000003
【図２】
2007019727.tif 000004
【図３】
2007019727.tif 000005
【図４】
2007019727.tif 000006
【図５】
2007019727.tif 000007
【図６】
2007019727.tif 000008